(57)【要約】【課題】弾性表面波素子の製造工程中における反りや基板の剥がれを抑制することができる弾性表面波素子用基板及び弾性表面波素子の製造方法を提供する。【解決手段】（ａ）圧電基板１２と、（ｂ）一方の主面１４ａが圧電基板１２の一方の主面１２ｂと貼り合わせられ、圧電基板１２の線膨張係数よりも小さい線膨張係数を有する支持基板１４とを備える。支持基板１４の一方の主面１４ａは、圧電基板１２の一方の主面１２ｂよりも大きい。支持基板１４と圧電基板１２との貼り合わせ面に垂直な方向から透視すると、支持基板１４の内側に圧電基板１２が配置され、支持基板１４は、圧電基板１２の外側を取り囲むはみ出し部分１３を有する。【選択図】図１
2010259011.tif 000002
【特許請求の範囲】
【請求項１】
一対の主面を有する圧電基板と、
一対の主面を有し、一方の前記主面が前記圧電基板の一方の前記主面と貼り合わせられ、前記圧電基板の線膨張係数よりも小さい線膨張係数を有する支持基板と、
を備え、
前記支持基板の前記一方の主面は、前記圧電基板の前記一方の主面よりも大きく、
前記支持基板と前記圧電基板との貼り合わせ面に垂直な方向から透視すると、前記支持基板の内側に前記圧電基板が配置され、前記支持基板は、前記圧電基板の外側を取り囲むはみ出し部分を有することを特徴とする、弾性表面波素子用基板。
【請求項２】
前記圧電基板は、前記圧電基板の前記一方の主面と前記支持基板の前記一方の主面とが貼り合わされた後に前記圧電基板の他方の前記主面が加工されて薄くされていることを特徴とする、請求項１に記載の弾性表面波素子用基板。
【請求項３】
前記支持基板の前記一方の主面のうち前記はみ出し部分に、前記圧電基板よりも線膨張係数が小さい塗布材料が塗布されていることを特徴とする、請求項１又は２に記載の弾性表面波素子用基板。
【請求項４】
前記支持基板の前記一方の主面のうち前記はみ出し部分に、前記圧電基板の線膨張係数よりも小さい線膨張係数を有するリング状の接合部材が接合されていることを特徴とする、請求項１又は２に記載の弾性表面波素子用基板。
【請求項５】
前記支持基板は、前記支持基板の前記一方の主面に沿って温度変化に伴う反りが最も大きくなる方向の両側に切欠部が形成されていることを特徴とする、請求項１乃至４のいずれか一つに記載の弾性表面波素子用基板。
【請求項６】
圧電基板と、該圧電基板よりも大きい支持基板とを、圧電基板の周囲に支持基板がはみ出すように貼り合わせて弾性表面波素子用基板を形成する第１の工程と、
前記弾性表面波素子用基板の前記圧電基板に複数個分の弾性表面波素子になる部分を形成する第２の工程と、
複数個分の弾性表面波素子になる部分が形成された前記弾性表面波素子用基板を分割して、弾性表面波素子の個片を形成する第３の工程と、
を含むことを特徴とする、弾性表面波素子の製造方法。
【発明の詳細な説明】
【技術分野】
【０００１】
本発明は、弾性表面波素子用基板及び弾性表面波素子の製造方法に関し、詳しくは、支持基板に圧電基板を貼り合わせた弾性表面波素子用基板及び該弾性表面波素子用基板を用いた弾性表面波素子の製造方法に関する。
【背景技術】
【０００２】
圧電基板を用いる弾性表面波素子は、温度変化による圧電基板の伸縮のため、周波数特性が変動する。このような温度特性を改善するため、例えば図１４（ａ）の斜視図及び図１４（ａ）の線Ａ−Ａ'に沿って切断した断面図である図１４（ｂ）に示すように、ＩＤＴ電極（ＩＤＴ：interdigital transducer）１０３が形成された圧電基板１０１と、圧電基板１０１よりも線膨張係数が小さく、圧電基板１０１よりも厚みが大きい支持基板１０２とを貼り合わせた弾性表面波素子が提案されている。（例えば特許文献１参照）
【先行技術文献】
【特許文献】
【０００３】
【特許文献１】特開平１１−５５０７０号公報
【発明の概要】
【発明が解決しようとする課題】
【０００４】
圧電基板と支持基板とを貼り合わせることによって、圧電基板の伸縮が支持基板によって抑制され、温度特性が改善される。圧電基板と支持基板の線膨張係数の差を大きくするほど、温度特性の改善効果が大きい。
【０００５】
また、弾性表面波素子は、一般には、ウェハの状態で複数個分をまとめて加工した後、個片に分割することにより製造されている。そのため、ウェハのサイズが大きいほど、効率よく製造することができる。
【０００６】
しかしながら、線膨張係数が異なる圧電基板と支持基板とを貼り合わせたウェハは、製造工程中の熱処理などによる温度変化にともなって、反ったり、貼り合わせた基板が剥がれたりすることがある。
【０００７】
圧電基板と支持基板の線膨張係数の差が大きいほど、また、ウェハのサイズが大きいほど、ウェハの反りが大きくなり、貼り合わせた基板が剥がれやすい。ウェハの反りが許容値を超えたり、貼り合わせた基板が剥がれたりすると、ウェハを製造工程に流すことができなくなる。
【０００８】
本発明は、かかる実情に鑑み、弾性表面波素子の製造工程中における反りや基板の剥がれを抑制することができる弾性表面波素子用基板及び弾性表面波素子の製造方法を提供しようとするものである。
【課題を解決するための手段】
【０００９】
本発明は、上記課題を解決するために、以下のように構成した弾性表面波素子用基板を提供する。
【００１０】
弾性表面波素子用基板は、（ａ）一対の主面を有する圧電基板と、（ｂ）一対の主面を有し、一方の前記主面が前記圧電基板の一方の前記主面と貼り合わせられ、前記圧電基板の線膨張係数よりも小さい線膨張係数を有する支持基板とを備える。前記支持基板の前記一方の主面は、前記圧電基板の前記一方の主面よりも大きい。前記支持基板と前記圧電基板との貼り合わせ面に垂直な方向から透視すると、前記支持基板の内側に前記圧電基板が配置され、前記支持基板は、前記圧電基板の外側を取り囲むはみ出し部分を有する。
【００１１】
上記構成のように、圧電基板よりも大きい支持基板に圧電基板を貼り合わせ、支持基板にはみ出し部分を設けた弾性表面波素子用基板は、主面が同じ大きさの圧電基板と支持基板の主面同士を貼り合わせた貼り合わせ基板よりも、温度変化に伴う基板の反りが小さくなる。
【００１２】
また、主面が同じ大きさの圧電基板と支持基板の主面同士を貼り合わせた貼り合わせ基板では、温度変化に伴って貼り合わせ面の外周縁付近で局所的に高い応力が発生するため、縁から基板が剥がれやすい。これに対し、上記構成のように支持基板にはみ出し部分を設けると、圧電基板と支持基板との貼り合わせ面の外周縁付近の応力を緩和できるため、縁からの基板剥がれを抑制することができる。
【００１３】
好ましくは、前記圧電基板は、前記圧電基板の前記一方の主面と前記支持基板の前記一方の主面とが貼り合わされた後に前記圧電基板の他方の前記主面が加工されて薄くされている。
【００１４】
この場合、圧電基板を容易に薄くすることができる。圧電基板が薄いと、温度変化に伴う弾性表面波素子用基板の反りは小さくなる。そのため、圧電基板上に形成されるＩＤＴ電極の線幅のバラツキを小さくし、弾性表面波素子の特性のバラツキを小さくすることができる。また、圧電基板が薄いと貼り合わせ面に作用する応力が小さくなるため、基板が剥がれにくくなり、加工時の基板破損を抑制することができる。
【００１５】
好ましくは、前記支持基板の前記一方の主面のうち前記はみ出し部分に、前記圧電基板よりも線膨張係数が小さい塗布材料が塗布されている。
【００１６】
この場合、支持基板のはみ出し部分の伸縮を塗布材料によって拘束し、弾性表面波素子用基板の反りや基板の剥がれを抑制することができる。
【００１７】
好ましくは、前記支持基板の前記一方の主面のうち前記はみ出し部分に、前記圧電基板の線膨張係数よりも小さい線膨張係数を有するリング状の接合部材が接合されている。
【００１８】
この場合、支持基板のはみ出し部分の伸縮を接合部材によって拘束し、弾性表面波素子用基板の反りや貼り合わせた基板の剥がれを抑制することができる。
【００１９】
好ましくは、前記支持基板は、前記支持基板の前記一方の主面に沿って温度変化に伴う反りが最も大きくなる方向の両側に切欠部が形成されている。
【００２０】
この場合、温度変化に伴う反りが最も大きくなる両端をカットすることで、弾性表面波素子用基板の反りを全体として小さくすることができる。
【００２１】
また、本発明は、上記解題を解決するために、以下のように構成した弾性表面波素子の製造方法を提供する。
【００２２】
弾性表面波素子の製造方法は、（ａ）圧電基板と、該圧電基板よりも大きい支持基板とを、圧電基板の周囲に支持基板がはみ出すように貼り合わせて弾性表面波素子用基板を形成する第１の工程と、（ｂ）前記弾性表面波素子用基板の前記圧電基板に複数個分の弾性表面波素子になる部分を形成する第２の工程と、（ｃ）複数個分の弾性表面波素子になる部分が形成された前記弾性表面波素子用基板を分割して、弾性表面波素子の個片を形成する第３の工程とを含む。
【００２３】
上記方法によれば、第２の工程において、弾性表面波素子用基板の反りを小さくし、また、基板の剥がれを抑制することができる。
【発明の効果】
【００２４】
本発明によれば、弾性表面波素子の製造工程中における弾性表面波素子用基板の反りや、基板の剥がれを抑制することができる。そのため、圧電基板と支持基板の線膨張係数の差を大きくして、弾性表面波素子の温度特性改善効果を高めることができる。また、サイズの大きいウェハを用いて、弾性表面波素子の製造効率を向上させることができる。
【図面の簡単な説明】
【００２５】
【図１】弾性表面波素子用基板の（ａ）斜視図、（ｂ）断面図である。（実施例１）
【図２】弾性表面波素子用基板の（ａ）斜視図、（ｂ）断面図である。（実施例１）
【図３】弾性表面波素子用基板の（ａ）斜視図、（ｂ）断面図である。（実施例２）
【図４】弾性表面波素子用基板の（ａ）斜視図、（ｂ）断面図である。（実施例２）
【図５】弾性表面波素子用基板の（ａ）斜視図、（ｂ）断面図である。（実施例２）
【図６】弾性表面波素子用基板の（ａ）斜視図、（ｂ）断面図である。（実施例２）
【図７】弾性表面波素子用基板の（ａ）斜視図、（ｂ）断面図である。（実施例３）
【図８】弾性表面波素子用基板の（ａ）斜視図、（ｂ）断面図である。（実施例３）
【図９】弾性表面波素子用基板の（ａ）斜視図、（ｂ）断面図である。（実施例３）
【図１０】弾性表面波素子用基板の（ａ）斜視図、（ｂ）断面図である。（実施例４）
【図１１】弾性表面波素子用基板の（ａ）斜視図、（ｂ）断面図である。（実施例４）
【図１２】弾性表面波素子用基板の（ａ）斜視図、（ｂ）断面図である。（実施例５）
【図１３】弾性表面波素子用基板の（ａ）斜視図、（ｂ）断面図である。（実施例５）
【図１４】弾性表面波素子の（ａ）斜視図、（ｂ）断面図である。（従来例）
【発明を実施するための形態】
【００２６】
以下、本発明の実施の形態について、図１〜図１３を参照しながら説明する。
【００２７】
＜実施例１＞  実施例１の弾性表面波素子用基板１０，１０ａ及び弾性表面波素子の製造方法について、図１及び図２を参照しながら説明する。
【００２８】
図１（ａ）は弾性表面波素子用基板１０の斜視図である。図１（ｂ）は、図１（ａ）の線Ａ−Ａに沿って切断した断面図である。図２（ａ）は弾性表面波素子用基板１０ａの斜視図である。図２（ｂ）は、図２（ａ）の線Ａ−Ａ沿って切断した断面図である。
【００２９】
図１に示すように、弾性表面波素子を作製するためのウェハ状の弾性表面波素子用基板１０は、略円形の圧電基板１２と、圧電基板１２よりも大きい略円形の支持基板１４とを、圧電基板１２の周囲に支持基板１４がはみ出してはみ出し部分１３が形成されるように同心に貼り合わせることによって、作製する。支持基板１４と圧電基板１２との貼り合わせ面１４ａ，１２ｂに垂直な方向から透視すると、支持基板１４のはみ出し部分１３は、圧電基板１２の外側を取り囲んでいる。
【００３０】
圧電基板１２は、一対の主面である上面１２ａと下面１２ｂとを有する。支持基板１４は、一対の主面である上面１４ａと下面１４ｂとを有する。圧電基板１２の下面１２ｂと支持基板１４の上面１４ａとは、表面活性化法、接着剤を用いた接着法、陽極接合法、親水化処理法等、比較的貼り合わせ時に反りが発生しない工法を使用して、貼り合わせる。
【００３１】
圧電基板１２は、タンタル酸リチウム（ＬｉＴａＯ３）基板やニオブ酸リチウム（ＬｉＮｂＯ３）基板である。支持基板１４は、圧電基板１２よりも、ヤング率が大きく、線膨張係数が小さい材料、例えば、シリコン、サファイア、アルミナ、ＦＲＰ（Fiber Reinforced Plastics）材材料等を用いて形成する。
【００３２】
必要に応じて、図２に示すように、圧電基板１２の上面１２ａを研磨し、圧電基板１２を薄くする。例えば、グラインドおよびサンドブラストを使用して研磨する。圧電基板１２が薄膜化された弾性表面波素子用基板１０ａは、支持基板１４に圧電基板１２を貼り合わせた後に圧電基板１２を加工することによって、初めから薄くされた圧電基板１２を支持基板１４に貼り合わせて作製する場合よりも、容易に作製することができる。
【００３３】
弾性表面波素子用基板１０，１０ａは、複数個分の弾性表面波素子を同時に作製するために用いる。すなわち、弾性表面波素子用基板１０，１０ａの圧電基板１２に複数個分の弾性表面波素子になる部分を形成した後、弾性表面波素子用基板１０，１０ａを、ダイシング等によって分割して、弾性表面波素子の個片（チップ）を形成する。
【００３４】
次に、基板の反りのシミュレーション結果について説明する。
【００３５】
厚さ２０μｍのタンタル酸リチウム基板の圧電基板と、厚さ２３０μｍのアルミナの支持基板とを貼り合わせたウェハについて、常温２５℃から２５０℃までの温度変化によって、圧電基板及び支持基板の振動伝搬方向（圧電基板の最も線膨張係数が大きい方向）の縁の反り量（面の中心と縁の面垂直方向の変位の差）を、圧電基板と支持基基板のサイズの組み合わせを変えて計算した。計算結果を次の表１に示す。
【表１】
2010259011.tif 000003
表１から、支持基板を圧電基板よりも大きくすることによって、反りが小さくなることが分かる。
【００３６】
すなわち、圧電基板よりも大きい支持基板に圧電基板を貼り合わせ、支持基板にはみ出し部分を設けた弾性表面波素子用基板（Ｎｏ．２及びＮｏ．３）は、主面が同じ大きさの圧電基板と支持基板との主面同士を貼り合わせた貼り合わせ基板（Ｎｏ．１）よりも、温度変化に伴う基板の反りが小さくなる。
【００３７】
また、振動伝搬方向の応力の計算値を比較すると、支持基板と圧電基板が同じサイズのときには、圧電基板の縁面に作用する応力が局所的に周囲の数倍程度に大きくなるが、支持基板を圧電基板よりも大きくすると、圧電基板の縁面に作用する応力は周囲と同程度となる。そのため、支持基板を圧電基板よりも大きくすることで、縁からの基板剥がれを抑制することができる。
【００３８】
表１においてＮｏ．２及びＮｏ．３は、圧電基板１２を薄膜化した弾性表面波素子用基板１０ａである。圧電基板１２を薄膜化した弾性表面波素子用基板１０ａは、温度変化に伴う反りが、圧電基板１２を薄膜化していない弾性表面波素子用基板１０よりも小さくなる。そのため、弾性表面波素子用基板１０ａの圧電基板１２上に形成されるＩＤＴ電極の線幅のバラツキを小さくし、弾性表面波素子の特性のバラツキを小さくすることができる。また、圧電基板１２が薄いと貼り合わせ面に作用する応力が小さくなるため、貼り合わせた基板が剥がれにくくなり、加工時の基板破損を抑制することができる。
【００３９】
＜実施例２＞  実施例２の弾性表面波素子用基板１０ｂについて、図３〜図６を参照しながら説明する。
【００４０】
図３（ａ）は弾性表面波素子用基板１０の斜視図である。図３（ｂ）は、図３（ａ）の線Ａ−Ａに沿って切断した断面図である。図４（ａ）は弾性表面波素子用基板１０ａの斜視図である。図４（ｂ）は、図４（ａ）の線Ａ−Ａ沿って切断した断面図である。図５（ａ）は弾性表面波素子用基板１０ｂの斜視図である。図５（ｂ）は、図５（ａ）の線Ａ−Ａに沿って切断した断面図である。
【００４１】
実施例２の弾性表面波素子用基板１０ｂは、図３〜図５に示す工程で作製する。
【００４２】
実施例２の弾性表面波素子用基板１０ｂは、実施例１と同じく、図３に示すように、圧電基板１２を、圧電基板１２よりも大きい支持基板１４に貼り合わせ、次いで、図４に示すように、圧電基板１２を研磨して圧電基板１２を薄膜化する。
【００４３】
次いで、実施例１と異なり、図５に示すように、支持基板１４の上面１２ａのうち、はみ出し部分１３に、圧電基板１２よりも線膨張係数が小さい塗布材料１６を塗布する。
【００４４】
実施例２の弾性表面波素子用基板１０ｂは、支持基板１４のはみ出し部分１３の伸縮が塗布材料１６によって拘束されるため、弾性表面波素子用基板１０ｂの反りや基板の剥がれが抑制されるようにすることができる。
【００４５】
＜実施例３＞  実施例３の弾性表面波素子用基板１０ｃについて、図７〜図９を参照しながら説明する。
【００４６】
図７（ａ）は弾性表面波素子用基板１０の斜視図である。図７（ｂ）は、図７（ａ）の線Ａ−Ａに沿って切断した断面図である。図８（ａ）は弾性表面波素子用基板１０ａの斜視図である。図８（ｂ）は、図４（ａ）の線Ａ−Ａ沿って切断した断面図である。図９（ａ）は弾性表面波素子用基板１０ｃの斜視図である。図９（ｂ）は、図９（ａ）の線Ａ−Ａに沿って切断した断面図である。
【００４７】
実施例３の弾性表面波素子用基板１０ｃは、図７〜図９に示す工程で作製する。
【００４８】
すなわち、実施例３の弾性表面波素子用基板１０ｃは、実施例１と同じく、図７に示すうに、圧電基板１２を、圧電基板１２よりも大きい支持基板１４に貼り合わせ、次いで、図８に示すように、圧電基板１２を研磨して圧電基板１２を薄膜化する。
【００４９】
次いで、実施例１と異なり、図９に示すように、支持基板１４の上面１４ａのうち、はみ出し部分１３に、圧電基板１２の線膨張係数よりも小さい線膨張係数を有するリング状の接合部材１８を接合する。
【００５０】
次の表２は、支持基板のはみ出し部分に接合部材を接合した場合と接合しなかった場合について、実施例１と同様に、基板の反りを計算した結果は、実施例１と同じく、厚さ２０μｍのタンタル酸リチウム基板の圧電基板と、厚さ２３０μｍのアルミナの支持基板とを貼り合わせたウェハについて、常温２５℃から２５０℃までの温度変化によって、圧電基板及び支持基板の振動伝搬方向（圧電基板の最も線膨張係数が大きい方向）の縁の反り量（面の中心と縁の面垂直方向の変位の差）を計算した。
【表２】
2010259011.tif 000004
表２から、Ｎｏ．２ａ及びＮｏ．３ａのように支持基板のはみ出し部分に接合部材を接合すると、Ｎｏ２及びＮｏ．３の接合部材がない実施例１よりも、圧電基板と支持基板の両方の反りが小さくなることが分かる。
【００５１】
すなわち、実施例３の弾性表面波素子用基板１０ｃは、支持基板１４のはみ出し部分１３の伸縮が接合部材１８によって拘束され、弾性表面波素子用基板１０ｃの反りや基板の剥がれが抑制されるようにすることができる。
【００５２】
＜実施例４＞  実施例４の弾性表面波素子用基板１０ｄについて、図１０及び図１１を参照しながら説明する。
【００５３】
図１０（ａ）は弾性表面波素子用基板１０の斜視図である。図１０（ｂ）は、図１０（ａ）の線Ａ−Ａに沿って切断した断面図である。図１１（ａ）は弾性表面波素子用基板１０ｄの斜視図である。図１１（ｂ）は、図４（ａ）の線Ａ−Ａ沿って切断した断面図である。
【００５４】
圧電材料のように線膨張係数に異方性を持つ材料に貼り合せた場合、熱による反りも線膨張係数の異方性に左右され、面内で反り量は一定にはならない。つまり、方向によって反りの大きさが異なる。
【００５５】
そこで、実施例４の弾性表面波素子用基板１０ｄでは、図１０に示す薄膜化された圧電基板１２と支持基板１４とが貼り合わされている弾性表面波素子用基板１０ａについて、図１１に示すように、反り量の最も高いエリアがカットされるように支持基板１４に切欠部１４ｓ，１４ｔを形成し、反り量を面内で安定させると共に、圧電基板１２と支持基板１４の反り量をさらに低減させている。
【００５６】
実施例４の弾性表面波素子用基板１０ｄを作製する場合、まず、図１０に示すように、圧電基板１２よりも大きい支持基板１４に圧電基板１２を貼り合わせた後、圧電基板１２を研磨して、圧電基板１２が薄膜化された弾性表面波素子用基板１０ａを作製する。次いで、図１１に示すように、支持基板１４に、温度変化に伴う反りが最も大きくなる方向（図では左右方向）の両側を切断して、切欠部１４ｓ，１４ｔを形成することにより、実施例４の弾性表面波素子用基板１０ｄを作製する。
【００５７】
実施例４の弾性表面波素子用基板１０ｄは、温度変化に伴う反りが最も大きくなる両端をカットすることで、弾性表面波素子用基板１０ｄの反りを全体として小さくすることができる。
【００５８】
＜実施例５＞  実施例４の弾性表面波素子用基板１０ｅについて、図１２及び図１３を参照しながら説明する。
【００５９】
図１２（ａ）は弾性表面波素子用基板１０ｃの斜視図である。図１２（ｂ）は、図１２（ａ）の線Ａ−Ａに沿って切断した断面図である。図１３（ａ）は弾性表面波素子用基板１０ｅの斜視図である。図１３（ｂ）は、図３（ａ）の線Ａ−Ａ沿って切断した断面図である。
【００６０】
圧電材料のように線膨張係数に異方性を持つ材料に貼り合せた場合、熱による反りも線膨張係数の異方性に左右され、面内で反り量は一定にはならない。つまり、方向によって反りの大きさが異なる。
【００６１】
そこで、実施例４の弾性表面波素子用基板１０ｅでは、図１２に示すように、支持基板１４のはみ出し部分１３に接合部材１８が接合された弾性表面波素子用基板１０ｃについて、図１３に示すように、反り量の最も高いエリアがカットされるように、支持基板１４及び接合部材１８に切欠部１４ｓ，１４ｔ；１８ｓ，１８ｔを形成し、反り量を面内で安定させると共に、圧電基板１２と支持基板１４の反り量をさらに低減させている。
【００６２】
実施例４の弾性表面波素子用基板１０ｅを作製する場合、まず、図１２に示すように、圧電基板１２よりも大きい支持基板１４に圧電基板１２を貼り合わせた後、圧電基板１２を研磨して圧電基板１２を薄膜化し、さらに、支持基板１４のはみ出し部分１３に接合部材１８を接合して、弾性表面波素子用基板１０ｃを作製する。次いで、図１４に示すように、支持基板１４及び接合部材１８について、温度変化に伴う反りが最も大きくなる方向（図では左右方向）の両側を切断して、切欠部１４ｓ，１４ｔ；１８ｓ，１８ｔを形成することにより、実施例４の弾性表面波素子用基板１０ｅを作製する。
【００６３】
次の表３は、４インチの圧電基板と６インチの圧電基板とを接合し、圧電基板のはみ出し部分に接合部材を接合した弾性表面波素子用基板に、支持基板１４及び接合部材１８に切欠部１４ｓ，１４ｔ；１８ｓ，１８ｔを形成した場合と形成しなかった場合について、圧電基板１２及び支持基板１４の反りを計算した結果である。
【表３】
2010259011.tif 000005
表３から、Ｎｏ．３ｂのように支持基板及び接合部材に切欠部を形成することによって、圧電基板と支持基板の両方の反りが、切欠部が形成されていない実施例３（表２のＮｏ．３ａ）よりも小さくなることが分かる。
【００６４】
すなわち、実施例５の弾性表面波素子用基板１０ｅは、温度変化に伴う反りが最も大きくなる両端をカットすることで、弾性表面波素子用基板１０ｅの反りを全体として小さくすることができる。
【００６５】
＜まとめ＞  以上に説明したように、圧電基板１２と、圧電基板１２よりも大きい支持基板１４とを貼り合わせた弾性表面波素子用基板１０，１０ａ〜１０ｅは、弾性表面波素子の製造工程中における反りや貼り合わせた基板の剥がれを抑制することができる。そのため、圧電基板と支持基板の線膨張係数の差を大きくして、弾性表面波素子の温度特性改善効果を高めることができる。また、サイズの大きいウェハを用いて、弾性表面波素子の製造効率を向上させることができる。
【００６６】
なお、本発明は、上記実施の形態に限定されるものではなく、種々変更を加えて実施することが可能である。
【符号の説明】
【００６７】
１０，１０ａ〜１０ｅ  弾性表面波素子用基板
１２  圧電基板
１２ａ  上面（他方の主面）
１２ｂ  下面（一方の主面）
１４  支持基板
１４ａ  上面（一方の主面）
１４ｂ  下面（他方の主面）
１４ｓ，１４ｔ  切欠部
１６  塗布材料
１８  接合部材
１８ｓ，１８ｔ  切欠部
【図１】
2010259011.tif 000006
【図２】
2010259011.tif 000007
【図３】
2010259011.tif 000008
【図４】
2010259011.tif 000009
【図５】
2010259011.tif 000010
【図６】
2010259011.tif 000011
【図７】
2010259011.tif 000012
【図８】
2010259011.tif 000013
【図９】
2010259011.tif 000014
【図１０】
2010259011.tif 000015
【図１１】
2010259011.tif 000016
【図１２】
2010259011.tif 000017
【図１３】
2010259011.tif 000018
【図１４】
2010259011.tif 000019